(57)【要約】【課題】撮像して得た画像データの色空間のタイプに適した画像ファイルフォーマットに従ってその画像データの画像ファイルを生成できるようにする。【解決手段】画像データの色空間がｓＲＧＢであるか否かを判定する（ステップＳ２０３）。ｓＲＧＢである場合には、画像ファイルフォーマットＡを選択する（ステップＳ２０４）。画像ファイルフォーマットＡは、Ｅｘｉｆ２．２規格およびＤＣＦ規格に準拠する画像ファイルフォーマットである。一方、ｓＲＧＢでない場合には、画像ファイルフォーマットＢを選択する。画像ファイルフォーマットＢは、Ｅｘｉｆ２．２規格に準拠するが、ＤＣＦ規格に準拠しない画像ファイルフォーマットである。【選択図】　　　図２
2004112635.tif 000002
【特許請求の範囲】
【請求項１】
画像データを生成する撮像手段と、
第１の色空間または第２の色空間に従って前記画像データを調整する画像処理手段と、
前記画像データを前記第１の色空間に従って調整した場合は、前記画像データの画像ファイルを第１の画像ファイルフォーマットに従って生成し、前記画像データを前記第２の色空間に従って調整した場合は、前記画像データの画像ファイルを前記第１の画像ファイルフォーマットとは異なる第２の画像ファイルフォーマットに従って生成する画像ファイル生成手段とを有することを特徴とする撮像装置。
【請求項２】
前記第１の画像ファイルフォーマットは、ＤＣＦ規格に準拠した画像ファイルフォーマットであり、前記第２の画像ファイルフォーマットは、ＤＣＦ規格に準拠しない画像ファイルフォーマットであることを特徴とする請求項１に記載の撮像装置。
【請求項３】
前記第１の色空間は、ｓＲＧＢであり、前記第２の色空間は、ｓＲＧＢ以外の色空間であることを特徴とする請求項１または２に記載の撮像装置。
【発明の詳細な説明】
【０００１】
【発明の属する技術分野】
本発明は、複数の色空間をサポートした撮像装置に関するものである。
【０００２】
【従来の技術】
デジタルカメラの中には、ｓＲＧＢ以外の色空間（例えば、Ａｄｏｂｅ　ＲＧＢ　（１９９８））に従って調整した画像データをＤＣＦ規格に準拠した画像ファイルに格納するものがある。なお、ｓＲＧＢについては、「ＩＥＣ　６１９６６−２−１，　Ｍｕｌｔｉｍｅｄｉａ　ｓｙｓｔｅｍｓ　ａｎｄ　ｅｑｕｉｐｍｅｎｔ　−　Ｃｏｌｏｕｒ　ｍｅａｓｕｒｅｍｅｎｔ　ａｎｄ　ｍａｎａｇｅｍｅｎｔ　−　Ｐａｒｔ　２−１：　Ｃｏｌｏｕｒ　ｍａｎａｇｅｍｅｎｔ　−　Ｄｅｆａｕｌｔ　ＲＧＢ　ｃｏｌｏｕｒ　ｓｐａｃｅ　−　ｓＲＧＢ」に詳細に記載されている。また、ＤＣＦ規格については、「ＪＥＩＤＡ−４９−２，　Ｄｅｓｉｇｎ　ｒｕｌｅ　ｆｏｒ　Ｃａｍｅｒａ　Ｆｉｌｅ　ｓｙｓｔｅｍ　Ｖｅｒｓｉｏｎ　１．０，　Ｊａｐａｎ　Ｅｌｅｃｔｒｏｎｉｃ　Ｉｎｄｕｓｔｒｙ　Ｄｅｖｅｌｏｐｍｅｎｔ　Ａｓｓｏｃｉａｔｉｏｎ」に詳細に記載されている。
【０００３】
【発明が解決しようとする課題】
ところが、ＤＣＦ規格では、色空間をｓＲＧＢに固定している。そのため、従来のデジタルカメラでは、ＤＣＦ規格が規定する色空間情報をｓＲＧＢとする一方で、画像データの実際の色空間を識別するための情報を含むメーカ固有情報を画像ファイルに格納していた。
【０００４】
しかしながら、メーカ固有情報をサポートしていないアプリケーションソフトウェアでは、ｓＲＧＢ以外の色空間で調整された画像データであってもｓＲＧＢで処理してしまい、その画像データを正常に再生することができない場合があった。
【０００５】
本発明は、このような問題を解決するためになされたものであり、撮像して得た画像データの色空間のタイプに適した画像ファイルフォーマットに従ってその画像データの画像ファイルを生成できるようにし、メーカ固有情報をサポートしていないアプリケーションソフトウェアであってもその画像データの再生を正常に行えるようにすることを目的とする。
【０００６】
【課題を解決するための手段】
本発明の撮像装置は、画像データを生成する撮像手段と、第１の色空間または第２の色空間に従って前記画像データを調整する画像処理手段と、前記画像データを前記第１の色空間に従って調整した場合は、前記画像データの画像ファイルを第１の画像ファイルフォーマットに従って生成し、前記画像データを前記第２の色空間に従って調整した場合は、前記画像データの画像ファイルを前記第１の画像ファイルフォーマットとは異なる第２の画像ファイルフォーマットに従って生成する画像ファイル生成手段とを有することを特徴とする。
【０００７】
【発明の実施の形態】
以下、図１および図２を参照し、本発明の実施の形態を説明する。
【０００８】
図１は、本実施の形態における撮像装置１０の主要な構成を説明する図である。撮像装置１０は、デジタルカメラであっても、イメージセンサを用いて被写体の画像データを生成する機能を備えた装置（カメラ付き携帯端末など）であってもよい。
【０００９】
図１において、撮像部１０１は、イメージセンサを用いて被写体を撮像し、その被写体の画像データを生成するユニットである。画像処理部１０２は、撮像部１０１で生成された画像データをユーザが設定した選択した色空間（ｓＲＧＢなど）に従って調整するとともに、調整後の画像データをＩＳＯ／ＩＥＣ　１０９１８−１に準拠したＪＰＥＧ方式に従って圧縮するユニットである。画像ファイル生成部１０３は、画像処理部１０２で処理された画像データの色空間のタイプを判定し、色空間のタイプに適した画像ファイルフォーマットに従ってその画像データの画像ファイルを生成するユニットである。メモリインターフェース部１０４は、リムーバブルメモリ１０５との通信が可能なインターフェースユニットである。リムーバブルメモリ１０５は、メモリカード、リムーバブルハードディスク装置などのリムーバブルな記憶媒体である。
【００１０】
図２は、撮像装置１０の処理手順を説明するフローチャートである。
【００１１】
ステップＳ２０１：撮像部１０１は、ユーザからの指示に従って被写体の画像データを生成する。
【００１２】
ステップＳ２０２：画像処理部１０２は、撮像部１０１で生成された画像データをユーザが選択した色空間（ｓＲＧＢなど）に従って調整するとともに、調整後の画像データをＩＳＯ／ＩＥＣ　１０９１８−１に準拠したＪＰＥＧ方式に従って圧縮する。
【００１３】
ステップＳ２０３：画像ファイル生成部１０３は、画像処理部１０２で処理された画像データの色空間がｓＲＧＢであるか否かを判定する。ｓＲＧＢである場合はステップＳ２０４に進み、ｓＲＧＢでない場合はステップＳ２０６に進む。
【００１４】
ステップＳ２０４：ｓＲＧＢであった場合、画像ファイル生成部１０３は、画像ファイルフォーマットＡを選択する。画像ファイルフォーマットＡは、Ｅｘｉｆ規格の一つであるＥｘｉｆ２．２規格およびＤＣＦ規格に準拠した画像ファイルフォーマットである。なお、Ｅｘｉｆ２．２規格については、「ＪＥＩＴＡ　ＣＰ−３４５１，　Ｅｘｃｈａｎｇｅａｂｌｅ　ｉｍａｇｅ　ｆｉｌｅ　ｆｏｒｍａｔ　ｆｏｒ　ｄｉｇｉｔａｌ　ｓｔｉｌｌ　ｃａｍｅｒａｓ：　Ｅｘｉｆ　Ｖｅｒｓｉｏｎ　２．２，　Ｊａｐａｎ　Ｅｌｅｃｔｒｏｎｉｃｓ　ａｎｄ　Ｉｎｆｏｒｍａｔｉｏｎ　Ｔｅｃｈｎｏｌｏｇｙ　Ｉｎｄｕｓｔｒｉｅｓ　Ａｓｓｏｃｉａｔｉｏｎ１」に詳細に記載されている。Ｅｘｉｆ２．２規格では、ｓＲＧＢ以外の色空間もサポートした画像ファイルフォーマットである。
【００１５】
ステップＳ２０５：画像ファイル生成部１０３は、ｓＲＧＢに従って調整された画像データの画像ファイルを画像ファイルフォーマットＡに従って生成する。
【００１６】
ステップＳ２０６：ｓＲＧＢ以外の色空間（例えば、Ａｄｏｂｅ　ＲＧＢ　（１９９８））であった場合、画像ファイル生成部１０３は、画像ファイルフォーマットＢを選択する。画像ファイルフォーマットＢは、Ｅｘｉｆ２．２規格には準拠するが、ＤＣＦ規格には準拠しない画像ファイルフォーマットである。
【００１７】
ステップＳ２０７：画像ファイル生成部１０３は、ｓＲＧＢ以外の色空間に従って調整された画像データの画像ファイルを画像ファイルフォーマットＢに従って生成する。
【００１８】
ステップＳ２０８：メモリインターフェース部１０４は、画像ファイル生成部１０３で生成された画像ファイルをリムーバブルメモリ１０５に保存する。
【００１９】
このように、本実施の形態における撮像装置１０によれば、撮像した画像データの色空間のタイプに適した画像ファイルフォーマットに従ってその画像データの画像ファイルを生成できるので、メーカ固有情報をサポートしていないアプリケーションソフトウェアであっても、その画像データを正常に再生することができる。
【００２０】
【発明の効果】
本発明によれば、撮像して得た画像データの色空間のタイプに適した画像ファイルフォーマットに従ってその画像データの画像ファイルを生成できるので、メーカ固有情報をサポートしていないアプリケーションソフトウェアであってもその画像データの再生を正常に行うことができる。
【図面の簡単な説明】
【図１】本実施の形態における撮像装置の主要な構成を説明する図である。
【図２】本実施の形態における撮像装置の処理手順を説明するフローチャートである。
【符号の説明】
１０　撮像装置
１０１　撮像部
１０２　画像処理部
１０３　ファイル生成部
１０４　メモリインターフェース部
１０５　リムーバブルメモリ
【図１】
2004112635.tif 000003
【図２】
2004112635.tif 000004
【手続補正書】
【提出日】平成15年11月17日(2003.11.17)
【手続補正１】
【補正対象書類名】明細書
【補正対象項目名】０００２
【補正方法】変更
【補正の内容】
【０００２】
【従来の技術】
デジタルカメラの中には、ｓＲＧＢ以外の色空間（例えば、Ａｄｏｂｅ　ＲＧＢ　（１９９８））に従って調整した画像データをＤＣＦ規格に準拠した画像ファイルに格納するものがある。なお、ｓＲＧＢについては、「ＩＥＣ　６１９６６−２−１，　Ｍｕｌｔｉｍｅｄｉａ　ｓｙｓｔｅｍｓ　ａｎｄ　ｅｑｕｉｐｍｅｎｔ　−　Ｃｏｌｏｕｒ　ｍｅａｓｕｒｅｍｅｎｔ　ａｎｄ　ｍａｎａｇｅｍｅｎｔ　−　Ｐａｒｔ　２−１：　Ｃｏｌｏｕｒ　ｍａｎａｇｅｍｅｎｔ　−　Ｄｅｆａｕｌｔ　ＲＧＢ　ｃｏｌｏｕｒ　ｓｐａｃｅ　−　ｓＲＧＢ」に詳細に記載されている。また、ＤＣＦ規格については、「ＪＥＩＤＡ−４９−２，　Ｄｅｓｉｇｎ　ｒｕｌｅ　ｆｏｒ　Ｃａｍｅｒａ　Ｆｉｌｅ　ｓｙｓｔｅｍ　Ｖｅｒｓｉｏｎ　１．０，　Ｊａｐａｎ　Ｅｌｅｃｔｒｏｎｉｃ　Ｉｎｄｕｓｔｒｙ　Ｄｅｖｅｌｏｐｍｅｎｔ　Ａｓｓｏｃｉａｔｉｏｎ」に詳細に記載されている。
【非特許文献１】
ＩＥＣ　６１９６６−２−１，　Ｍｕｌｔｉｍｅｄｉａ　ｓｙｓｔｅｍｓ　ａｎｄ　ｅｑｕｉｐｍｅｎｔ　−　Ｃｏｌｏｕｒ　ｍｅａｓｕｒｅｍｅｎｔ　ａｎｄ　ｍａｎａｇｅｍｅｎｔ　−　Ｐａｒｔ　２−１：　Ｃｏｌｏｕｒ　ｍａｎａｇｅｍｅｎｔ　−　Ｄｅｆａｕｌｔ　ＲＧＢ　ｃｏｌｏｕｒ　ｓｐａｃｅ　−　ｓＲＧＢ
【非特許文献２】
ＪＥＩＤＡ−４９−２，　Ｄｅｓｉｇｎ　ｒｕｌｅ　ｆｏｒ　Ｃａｍｅｒａ　Ｆｉｌｅ　ｓｙｓｔｅｍ　Ｖｅｒｓｉｏｎ　１．０，　Ｊａｐａｎ　Ｅｌｅｃｔｒｏｎｉｃ　Ｉｎｄｕｓｔｒｙ　Ｄｅｖｅｌｏｐｍｅｎｔ　Ａｓｓｏｃｉａｔｉｏｎ